(57)【特許請求の範囲】
【請求項１】
基材に体積型のホログラムが貼付された情報担持体であって、
前記体積型のホログラムと前記基材にまたがって割り印が押印されてなり、且つその割り印は、所定の印影が彫られた印鑑を加圧または加熱することにより、前記体積型のホログラムに形成された割り印の部分が変色または変形して再生像の明るさ及び色が変わるように形成されている
ことを特徴とするホログラムが貼付された情報担持体。
【発明の詳細な説明】
【０００１】
【発明の属する技術分野】
本発明は、身分証明書、クレジットカード等の情報担持体に係り、特にホログラムが貼付された情報担持体に関する。
【０００２】
【従来の技術及び発明が解決しようとする課題】
身分証明書やクレジットカード等の情報担持体には氏名をはじめとして種々の情報が記録されており、重要なものであるので偽造されないことが要求され、そのための一つの手段としてホログラムを貼付したものが用いられるようになってきているが、ホログラムを剥がしてコピーしたり、他のものに貼り替える等の手段によって偽造される可能性があった。
【０００３】
本発明は、上記の課題を解決するものであって、偽造防止の能力を向上させることができるホログラムが貼付された情報担持体を提供することを目的とするものである。
【０００４】
【課題を解決するための手段】
上記の目的を達成するために、本発明のホログラムが貼付された情報担持体は、基材に体積型のホログラムが貼付された情報担持体であって、前記体積型のホログラムと前記基材にまたがって割り印が押印されてなり、且つその割り印は、所定の印影が彫られた印鑑を加圧または加熱することにより、前記体積型のホログラムに形成された割り印の部分が変色または変形して再生像の明るさ及び色が変わるように形成されていることを特徴とする。
【０００５】
【発明の実施の形態】
以下、図面を参照しつつ実施の形態について説明する。
図１は本発明に係るホログラムが貼付された情報担持体の一実施形態を示す図であり、図中、１はホログラム、２は基材、３は割り印を示す。
【０００６】
基材２は情報担持体の主体となるものであって、適宜な厚みを有する紙、あるいはプラスティック等で形成される。また、図示してはいないが、この基材２には、氏名、年齢、性別、識別番号等、当該情報担持体の所持者に関する所定の個別情報が記録されている。また、基材２には当該情報担持体の保持者の顔写真が貼付されていてもよい。これらの個別情報は、ホログラム１が貼付される箇所に記録されていてもよく、ホログラム１が貼付される箇所以外の箇所に記録されていてもよい。要するに、個別情報は必要に応じて基材２の適宜な箇所に記録することができるのである。
【０００７】
これら個別情報の記録は、例えば、トナー、熱溶融型の転写リボン、タイプ用のリボン、印刷インキ等を使用する手段を用いて、手書き、タイプ、プリンタというような公知の手段で記録することができる。また、磁気記録によって記録することもできる。更には、基材２がプラスティックや金属で形成される場合にはエンボス加工によって記録することもできる。この情報担持体は身分証明書であってもよく、クレジットカードでもよく、要するに所定の個別情報が記録されたものであってよい。
【０００８】
そして、この基材２の所定の箇所にはホログラム１が貼付されている。ホログラム１の基材２への貼付は接着剤を用いればよい。接着剤としては、天然ゴム系、再生ゴム系、クロロプレンゴム系、ニトリルゴム系、スチレン・ブタジエンゴム系、熱可塑性エラストマー系等のエラストマー系接着剤、また、エポキシ樹脂系、ポリウレタン系等の合成樹脂系接着剤、反応型アクリル系、シアノアクリレート系等の化学反応型接着剤、その他、ＵＶ硬化型接着剤、ＥＢ硬化型接着剤、更に、エチレン・酢酸ビニル共重合樹脂系ホットメルト系、ポリアミド系、ポリエステル系、熱可塑性エラストマー系、反応ホットメルト系等のホットメルト系接着剤、また、水性接着剤である水溶性接着剤、エマルジョン系接着剤、ラテックス系接着剤、更に無機系接着剤等を用いることができる。また、その接着方法としては、熱可塑性のものは積層物間に挟んで硬化点以上の温度に加熱すればよく、ＵＶ、ＥＢ硬化型のものは積層物間に挟んで紫外線照射、電子線照射して硬化させるとよく、粘着型のものは単に積層物間に挟んで粘着させるとよい。
【０００９】
ホログラム１は、図２に示すように、ホログラム層４と、ホログラム層の表面側に設けられた透明保護シート５、及びホログラム層４と透明保護シート５とを接着するための接着層で構成されている。接着層６を形成するための接着剤としては上記の接着剤の中の透明な接着剤を用いればよい。
【００１０】
透明保護シート５としては、例えばポリエチレンフィルム（ＰＥ）、ポリプロピレンフィルム（ＰＰ）、エチレン−ビニルアルコール共重合フィルム（ＥＶＯＨ）、ポリビニルアルコールフィルム（ＰＶＡ）、ポリメチルメタクリレートフィルム（ＰＭＭＰ）、ポリエーテルスルホンフィルム（ＰＥＳ）、ポリアミドフィルム（ナイロンフィルム）、テトラフルオロエチレン−パーフルオロアルキルビニルエーテル共重合フィルム（ＰＦＡ）等を用いることができるが、割り印を押す関係上、ホログラム層４にエンボスあるいは変形が生じるように、それ自体軟らかく、薄いものを用いるのが望ましい。
【００１１】
ホログラム層４は、表面に凹凸があるのは望ましくないので、反射型で体積型のホログラム（リップマンホログラム）か、または透過型で体積型のホログラムを用いるのがよい。特に、基材２に記録された個別情報の上や、基材２に貼付された写真の上に貼付する場合には透過型である必要がある。
【００１２】
ここで、リップマンホログラムについて説明すると次のようである。リップマンホログラムは、図３（ａ）に示すような配置で記録され、図３（ｂ）に示すような原理で再生されるものである。リップマンホログラムの記録は、フォトポリマー、銀塩感光乳剤のような厚みのあるホログラム感材１０の片面から記録物体Ｏの情報を持ったコヒーレントな物体光１１を入射させ、同時に同じ波長のコヒーレントな参照光１２を反対側から所定角度で入射させると、物体光１１と参照光１２はホログラム感材１０中で干渉してリップマンホログラム（体積型のホログラム干渉縞）が記録される。このホログラムの再生に際しては、リップマンホログラムが記録されたホログラム記録体２０（ホログラム感材１０）に、記録の時の参照光１２と同じ方向から再生照明光２２を照射すると、入射光は記録された体積型のホログラム干渉縞により回折され、その回折光２３は記録物体Ｏの位置から発する光と同じ方向に回折され、元の記録物体Ｏの位置にその再生像Ｏ′を再生する。または、記録の時の参照光１２と反対に進む再生照明光２２を裏面に当てると、元の記録物体Ｏの位置にその再生像を再生する。何れにしても、リップマンホログラム２は、記録された立体物あるいは平面物の絵柄の再生像を所定の空間に再生するものである。
【００１３】
このようなリップマンホログラムの特徴は、室内照明光等の環境光によって再生可能であること、波長選択性があること、角度選択性があること、立体物が記録再生できること、多重記録ができること等である。
【００１４】
したがって、図２のホログラム層４としてリップマンホログラムを用いた場合には、照明光により、リップマンホログラムに記録された絵柄が空中に浮いた特定の色付き絵柄として観察されることになる。
【００１５】
また、透過型で体積型のホログラムについて説明すると次のようである。透過型で体積型のホログラムは、図４（ａ）に示すような配置で記録され、図４（ｂ）に示すような原理で再生されるものである。画像の記録は、厚みのあるホログラム感材３０の片面から記録物体Ｏの情報を持ったコヒーレントな物体光３１を入射させ、同時に同じ波長のコヒーレントな参照光３２を同じ側から所定角度で入射させることによって行う。これによって、物体光３１と参照光３２はホログラム感材３０中で干渉して体積型のホログラム干渉縞が記録される。
【００１６】
ホログラムの再生に際しては、画像が記録されたホログラム記録体４０（ホログラム感材３０）に、記録の時の参照光３２と同じ方向から再生照明光３２を照射する。これによって、入射光は記録された体積型のホログラム干渉縞により回折され、その回折光３３は記録物体Ｏの位置から発する光と同じ方向に回折されて、元の記録物体Ｏの位置にその再生像Ｏ′を再生する。または、記録の時の参照光３２と反対に進む再生照明光３２を裏面に当てると、元の記録物体Ｏの位置にその再生像が再生される。
【００１７】
更に、ホログラム層４としては、透過型で体積型のホログラムの背面に反射層を蒸着して実質的に反射型としたものを用いることも可能である。
【００１８】
なお、図２ではホログラム１はホログラム層４と透明保護シート５とが接着層６により接着された構成となされているが、ホログラムの再生像のコントラストを向上させるために、図のホログラム層４の下側に接着層を介して着色層を形成するようにしてもよい。この場合、接着層は上記に例示した接着剤で形成することができる。
【００１９】
さて、図１に示すように、この情報担持体ではホログラム１と基材２にまたがって割り印３が押されている。この割り印３は、所定の印影が彫られた通常の印鑑を朱肉により加圧して押印してもよいし、所定の印影が彫られた耐熱性を有する印鑑を加熱して押印してもよい。
【００２０】
このように、印鑑を加圧あるいは加熱によって割り印３を形成することにより、割り印されたホログラム１の印影部分は変形したり、変色したりすることになる。図５、図６はその様子を示す図であり、共にホログラム１の割り印された箇所を斜め上から見た斜視図である。なお、図５、図６では印鑑の輪郭のみを示し、実質的な印影の部分は省略している。
【００２１】
図５は割り印３によってホログラム１が変形した場合の様子を示す図であり、３1 は基材２に押された割り印３の部分を示し、３2 はホログラム１に押された割り印３の部分を示している。加圧、加熱により形成されたホログラム１に押された割り印３の部分３2 は破壊され、変形されている。即ち、ホログラム１のこの部分には印影の通りにエンボスが付けられることになる。この変形された部分３2 はホログラム１の再生像の明るさ及び色が変わるので、割り印されていることが目立って見える。
【００２２】
図６は割り印３によってホログラム１が変色した場合の様子を示す図であり、３1 は基材２に押された割り印３の部分を示し、３3 はホログラム１に押された割り印３の部分を示している。印鑑を加圧あるいは加熱することにより形成されたホログラム１に押された割り印３の部分３3 は破壊され、変色している。この変色した変形された部分３3 はホログラム１の再生像の明るさ及び色が変わるので、割り印されていることが目立って見える。
【００２３】
従って、このような情報担持体によれば、基材２からホログラム１を剥がして、コピーしようとしても、既にホログラム１には割り印３が押されているのでオリジナルのコピーを行うことはできないし、コピーしたとしても偽造されたものであることを容易に判別することができるものである。
【００２４】
また、基材２からホログラム１を剥がして、他のものに貼り替えようとした場合、その基材にはホログラム１に押されたと同じ印鑑で印を押し、しかもホログラム１の割り印の部分３3 に合わせて貼り付けなければならないが、このようなことは非常に困難であり、例えこのような手法によって偽造したとしても容易に見破ることができるものである。
【００２５】
以上のようであるので、このホログラムが貼付された情報担持体によれば偽造防止の能力を従来に比して大幅に向上させることができる。
【図面の簡単な説明】
【図１】  本発明に係るホログラムが貼付された情報担持体の一実施形態を示す図である。
【図２】  図１のホログラム１の断面図である。
【図３】  リップマンホログラムの記録／再生方法を説明するための図である。
【図４】  透過型で体積型のホログラムの記録／再生方法を説明するための図である。
【図５】  本発明の効果を説明するための図である。
【図６】  本発明の効果を説明するための図である。
【符号の説明】
１…ホログラム
２…基材
３…割り印
４…ホログラム層
５…透明保護シート
６…接着層
【図１】
0003802622.tif 000002
【図２】
0003802622.tif 000003
【図３】
0003802622.tif 000004
【図４】
0003802622.tif 000005
【図５】
0003802622.tif 000006
【図６】
0003802622.tif 000007